(57)【要約】【課題】部品点数と組み立て工数を減らしてタンク本体とベースプレートを簡単且つ容易に固定できる。【解決手段】洗浄水タンク装置６は、洗浄水を貯留するタンク本体１０と、便器本体の上面に設置するベースプレート１１とを備えた。タンク本体１０の底面１８には円筒状の排水口１５を突出させ、排水口１５の両側に一対の爪片２８を設け、その外側に一対の嵌合部２９を設けた。嵌合部２９は爪片２８より先端側に突出させた。ベースプレート１１の水受け皿２４には、排水口１５を挿入する開口２３の両側に爪片２８と係合する一対の爪部２５と、嵌合部２９と嵌合する一対の嵌合受け部２６を設けた。爪部２５の基部には穴部を形成し、水受け皿に落ちる水を便器本体に排出する。【選択図】図３
2016191241.tif 000002
【特許請求の範囲】
【請求項１】
洗浄水を貯留するタンク本体と、
前記タンク本体の下部に設置するベースプレートとを備え、
前記タンク本体には係止部を設け、前記ベースプレートには前記係止部と係合可能な係止受け部を設けて、互いに押圧することで前記係止部と係止受け部を固定するようにしたことを特徴とする洗浄水タンク装置。
【請求項２】
前記係止部と係止受け部は、互いに係合可能な爪片と爪部である請求項１に記載された洗浄水タンク装置。
【請求項３】
前記係止部と係止受け部は、互いに嵌合して相対回転を阻止する嵌合部と嵌合受け部である請求項１または２に記載された洗浄水タンク装置。
【請求項４】
前記係止部と係止受け部は、互いに係合可能な爪片と爪部、そして互いに嵌合して相対回転を阻止する嵌合部と嵌合受け部を備え、前記嵌合部または嵌合受け部は前記爪片または爪部より突出している請求項１に記載された洗浄水タンク装置。
【請求項５】
前記ベースプレートに形成した前記爪部の近傍に穴部を形成した請求項２または４に記載された洗浄水タンク装置。
【請求項６】
前記タンク本体はその底面が前記ベースプレートにおける水受け部に固定され、前記タンク本体の外面を流れ落ちる水が前記水受け部に誘導されるようにした請求項１から５のいずれか１項に記載された洗浄水タンク装置。
【発明の詳細な説明】
【技術分野】
【０００１】
本発明は、便器本体等を洗浄する洗浄水を貯留した洗浄水タンクのタンク本体をベースプレートに固定するための固定手段を備えた洗浄水タンク装置に関する。
【背景技術】
【０００２】
従来、洗浄水を貯留した洗浄水タンクを便器本体の上部に取り付けるための固定手段として例えば特許文献１及び２に記載したものが知られている。
特許文献１に記載された便器は、洗浄水を貯留する内側タンクの外側にタンクカバーを備えており、内側タンクの底面にタンクカバーの底面を貫通して便器本体の配水管に連通する排水口が設けられている。また、内側タンクの底面に取り付け具を介して固定した一対のボルトはタンクカバーの底面を貫通した状態でスナップリングで仮止めする。そして、内側タンクの排水口を便器本体の配水管に接続すると共に、一対のボルトを便器本体の取付孔を通して便器の裏側に突出させてナットで固定している。
【０００３】
また、特許文献２に記載されたタンク装置は、内側タンクの底面に設けた排水口がタンクカバーの底面の孔を貫通した位置で、排水口の外面に形成した雄ねじに鍔付きナットを固定して一体化している。そして、タンクカバーの孔を通して固定ボルトの上部雄ねじ部を受けナットで螺合し、固定ボルトの下部雄ねじ部は便器本体内の裏面に通してナットで固定する。これによって二重タンクを便器本体に固定する構成を有している。
【先行技術文献】
【特許文献】
【０００４】
【特許文献１】特開平０９−２２１８０４号公報
【特許文献２】特開２０１１−２４１５４５号公報
【発明の概要】
【発明が解決しようとする課題】
【０００５】
しかしながら、特許文献１に記載された洗浄タンクの固定構造は、内側タンクの底面に一対のボルトを固定してタンクカバーの孔を通してスナップリングで仮止めすることで一体化し、更に一対のボルトを便器本体内の裏面に通してそれぞれナットで締め込む構造であるため、洗浄タンクの固定構造の部品点数が多く、固定方法が煩雑で手間がかかっていた。
【０００６】
また、特許文献２に記載された洗浄タンクの固定構造では、内側タンクとタンクカバーを連結する洗浄水の排水口と鍔付きナットを備えると共に、上部雄ねじ部と下部雄ねじ部を備えた固定ボルトによってタンクカバー内と便器本体の裏側とでそれぞれナットでねじ込む構造であるため、特許文献１と同様に固定構造の部品点数が多く、固定方法が煩雑で手間がかかっていた。
【０００７】
本発明は、このような課題に鑑みてなされたものであって、部品点数と組み立て工数を減らしてタンク本体とベースプレートを簡単且つ容易に固定できるようにした洗浄水タンク装置を提供することを目的とする。
【課題を解決するための手段】
【０００８】
本発明による洗浄水タンク装置は、洗浄水を貯留するタンク本体と、タンク本体の下部に設置するベースプレートとを備え、タンク本体には係止部を設け、ベースプレートには係止部と係合可能な係止受け部を設けて、互いに押圧することで係止部と係止受け部を固定するようにしたことを特徴とする。
本発明による洗浄水タンク装置は、洗浄水を貯留するタンク本体を便器本体等の部材に設置したベースプレートに固定する際、タンク本体をベースプレートに押圧させると、タンク本体の係止部がベースプレートの係止受け部に係合するので、部品点数が少なく、ボルト・ナットを回転して締結する等の手間がかからず簡単に固定できる。
【０００９】
また、係止部と係止受け部は、互いに係合可能な爪片と爪部であることが好ましい。
タンク本体の係止部とベースプレートの係止受け部は互いに係合可能な爪片と爪部であるため、互いに当接させることで爪片と爪部を弾性変形させて係合できる。
【００１０】
また、係止部と係止受け部は、互いに嵌合して相対回転を阻止する嵌合部と嵌合受け部であることが好ましい。
係止部と係止受け部は互いに嵌合する嵌合部と嵌合受け部であるため、嵌合部と嵌合受け部の嵌合状態でタンク本体とベースプレートとの相対回転を阻止できる。
【００１１】
また、係止部と係止受け部は、互いに係合可能な爪片と爪部、そして、互いに嵌合して相対回転を阻止する嵌合部と嵌合受け部を備え、嵌合部または嵌合受け部は爪片または爪部より突出していることが好ましい。
タンク本体とベースプレートを係止部と係止受け部とで係合させて固定するに際し、嵌合部または嵌合受け部が爪片または爪部よりも先端側に突出しているため、嵌合部と嵌合受け部が先に嵌合することで位置決めされ、互いに嵌合する嵌合部と嵌合受け部でガイドされた状態で、爪片と爪部を確実に係合させて固定することができる。
【００１２】
また、ベースプレートに形成した爪部の近傍に穴部を形成してもよい。
ベースプレートにおいて爪部の近傍に穴部を形成しているために、タンク本体の外面を伝い落ちる結露水等の水がベースプレートから爪部近傍の穴部を通して便器本体内等に流入する。
【００１３】
また、タンク本体はその底面がベースプレートにおける水受け部に固定され、タンク本体の外面を流れ落ちる水が水受け部に誘導されるようにしてもよい。
タンク本体とベースプレートを係止部と係止受け部とで固定した状態で、タンク本体の底部はベースプレートの水受け部に固定されるため、タンク本体の外面に付着した結露水等は外面を伝わって水受け部に落ちて回収できる。
【発明の効果】
【００１４】
本発明による洗浄水タンク装置によれば、タンク本体とベースプレートを押し付けることで、タンク本体に設けた係止部とベースプレートに設けた係止受け部とを互いに係止させて固定できる。そのため、タンク本体とベースプレートの部品点数と組み立て工数を削減できる。
【図面の簡単な説明】
【００１５】
【図１】本発明の実施形態による温水洗浄便器の斜視図である。
【図２】図１に示すロータンクのタンクカバー内側に設置したタンク本体とベースプレートを一部断面で示す説明図である。
【図３】タンク本体とベースプレートを分離した斜視図である。
【図４】タンク本体の底面の拡大図である。
【図５】タンク本体の爪片とベースプレートの爪部との係合状態を示す図であり、（ａ）は要部拡大図、（ｂ）は同図（ａ）の断面図である。
【図６】タンク本体の嵌合部とベースプレートの嵌合受け部との係合状態を示す説明図であり，（ａ）は斜視図、（ｂ）は平面図である。
【図７】タンク本体をベースプレートに固定し、温水洗浄用電気部品と脱臭器とをベースプレートに固定した状態を示す要部正面図である。
【発明を実施するための形態】
【００１６】
以下、本発明の実施形態による温水洗浄便器１を図１乃至図７に基づいて説明する。
図１は本発明の実施形態による温水洗浄便器１を示すものであり、例えば陶器製の便器本体２の上部に便座３が設置され、便座３の後端部には例えばロータンク５が設置されている。ロータンク５は外側に設けたタンクカバー７の上部に開閉可能な蓋部８が設置され、その内部には、図２に示すように、便器本体２内を洗浄するための洗浄水を貯留するタンク本体１０と便器本体２に固定されたベースプレート１１とが設置されている。タンクカバー７とタンク本体１０とベースプレート１１は洗浄水タンク装置６を構成する。
【００１７】
図２及び図３に示す洗浄水タンク装置６において、タンク本体１０は例えば樹脂製または陶器製であり、その下端部には便器本体２の後端側に固定されたベースプレート１１が連結されている。図２に示すタンク本体１０内にはタンク本体１０内に洗浄水を供給するボールタップ９、オーバーフロー管１２、浮玉１３ａを備えたフラッパー弁１３等が設置されている。
タンク本体１０における下端部である底面１８にはタンク本体１０内の水を便器本体２内に排水するための略円筒状の排水口１５が下方に突出して形成されている。排水口１５には開閉可能なフラッパー弁１３が設置され、フラッパー弁１３は排水口１５の内側に位置する弁座１５ａを通過する洗浄水の排水と排水の停止を切り替える。
【００１８】
フラッパー弁１３にはオーバーフロー管１２に支持されたアーム部１６が連結され、アーム部１６の軸部を中心にフラッパー弁１３を開閉可能に支持している。フラッパー弁１３にはロータンク５外部の操作レバーにフラッシュモーター、Ｌ型シャフトを介して接続された玉鎖１４が連結され、操作レバーを回動することでフラッパー弁１３を開弁可能としている。
オーバーフロー管１２は例えば先細の略円筒状に形成されており、下端部は排水口１５に接続されている。タンク本体１０内の水位がオーバーフロー管１２の上端開口より上方に位置すると、水がオーバーフロー管１２の上端開口から内部に流入して下端部から排水口１５の内側の弁座１５ａを通って便器本体２に排出される。
【００１９】
また、タンク本体１０は、その上面１７が例えば平面視略四角形状を有しており、下面は上面１７よりも縮径された底面１８を有しており、底面１８の中央付近に排水口１５が下方に突出している。また、タンク本体１０の外面は便器本体２を備えた側を前面１０ａとし、前面１０ａに対向するトイレ室の壁面側の面を背面１０ｂとし、前面１０ａと背面１０ｂで挟まれた側部を側面１０ｃ、１０ｄとする。タンク本体１０の上部領域は洗浄水の貯水量を確保するために外側に拡径して形成していることが好ましい。
図２において、両側面１０ｃ、１０ｄは高さ方向の中間部で下方に向けて縮径するよう湾曲して傾斜している。タンク本体１０の一方の側面１０ｃ（例えば図２において左側）は比較的大きく縮径する第一傾斜面１９を有し、対向する他方の側面１０ｄ（例えば図２において右側）は比較的小さく縮径する第二傾斜面２０を有している。しかも、第二傾斜面２０は第一傾斜面１９よりも下側に形成されている。
【００２０】
第一傾斜面１９はその湾曲面の半径Ｒ１が可変で比較的大きく設定されて凸曲面を形成し、その下側は垂直面に近い斜面をもって底面１８に到達している。また、第二傾斜面２０はその湾曲面の半径Ｒ２が可変で比較的小さく設定されて凸曲面を形成し、その下側は略垂直面をもって底面１８に到達している。
第一傾斜面１９の半径Ｒ１と第二傾斜面２０の半径Ｒ２は、各傾斜面１９，２０やその上下部に結露する水滴(結露水という)が落下することなく第一傾斜面１９と第二傾斜面２０に沿って底面１８まで流れ落ちるように形成されている。第二傾斜面２０の半径Ｒ２は例えば３０ｍｍ以上に設定されており、第一傾斜面１９の半径Ｒ１は例えば半径Ｒ２と同一かより大きく設定されている。なお、第一傾斜面１９と第二傾斜面２０は同程度の大きさでもよいし、第二傾斜面２０の方が大きくてもよい。
また、タンク本体１０の前面１０ａはベースプレート１１上に電気部品を設置するために底面１８近傍で下側に向けて若干縮径するように傾斜していてもよい。背面１０ｂは洗浄水の水量を確保するために略垂直面に形成することが好ましい。
【００２１】
次にベースプレート１１について図３により説明する。ベースプレート１１は、タンク本体１０を連結すると共にその両側部に後述する温水洗浄用電気部品３１と脱臭器３２を設置可能な基板である。
ベースプレート１１は、タンク本体１０の底面１８に設けた排水口１５を下方に挿通させる開口２３を有しており、その周囲にタンク本体１０の前面１０ａ、背面１０ｂ、両側面１０ｃ、１０ｄから流れ落ちる結露水や水滴を受けて便器本体２に流す水受け部として水受け皿２４を形成する壁面２４ａが例えば略四角形状に形成されている。水受け皿２４に設けた後述の爪部２５と嵌合受け部２６はタンク本体１０の縮径した底面１８に設けた後述の爪片２６と嵌合部２９を受けて固定しており、水受け皿２４は上面１７より小さい面積に設定されている。
【００２２】
しかも、図３に示す水受け皿２４の内部には、開口２３を挟んで対向する位置に断面略Ｌ字状の一対の爪部２５とその外側に形成された断面略Ｕ字状の一対の嵌合受け部２６とを上方に突出させて形成している。
ここで、一対の爪部２５は、図３、図５（ａ）、（ｂ）に示すように、断面略Ｌ字状に湾曲した内側を向く爪部本体２５ａとその両端部に設けた仕切壁２５ｂとをそれぞれ有している。しかも、各爪部２５の基部には爪部本体２５ａで覆われた穴部３０が形成されている。水受け皿２４に流入する結露水等は穴部３０を通って下方の便器本体２内に落下する。
また、一対の嵌合受け部２６は、図３及び図６（ａ）、（ｂ）に示すように水平断面でみて内側に突出する略Ｕ字状に形成されている。嵌合受け部２６は水受け皿２４の内側に略Ｕ字状に突出する突出部２６ａとその両側に延びる補助部２６ｂとで形成されている。
【００２３】
一方、図３及び図４に示すタンク本体１０の底面１８には、排水口１５を挟んで対向する位置に、爪部２５に係合可能な断面略Ｌ字状をなす一対の爪片２８とその外側に位置していて嵌合受け部２６に係合可能な断面略Ｔ字状をなす一対の嵌合部２９とを形成している。ここで、各爪片２８は図５（ａ）、（ｂ）に示すように、仕切壁を有さない外側を向く断面略Ｌ字状である。タンク本体１０を降下させた際、爪片２８は水受け皿２４の爪部２５に当接して弾性変形し、爪部本体２５ａと係合することになる。
また、各嵌合部２９は内側に突出する略Ｔ字形状である。嵌合部２９は中央突片２９ａとこれに略直交して延びる補助片２９ｂとで形成されている。嵌合部２９の嵌合受け部２６に嵌合する中央突片２９ａは両面に小さな突起２９ａｂが形成されていてもよく、この突起２９ａｂが嵌合受け部２６の突出部２６ａ内で当接することで、互いの位置ずれや回転を阻止できる。なお、補助部２６ｂと補助片２９ｂは略平行に位置する。
【００２４】
しかも、一対の嵌合部２９は爪片２８よりも下方に突出して形成されており、ベースプレート１１にタンク本体１０を固定する際、先に一対の嵌合部２９に嵌合受け部２６がそれぞれ嵌合することで、その内側に設置した一対の爪部２５と爪片２８の係合を確実にするようガイドする。また、嵌合部２９が嵌合受け部２６に当接するより先に爪片２８が爪部２５に当接して爪片２８が破損することを防止できる。
そのため、タンク本体１０がベースプレート１１に連結された状態で、タンク本体１０の底面１８は水受け皿２４内に位置し、タンク本体１０の外面に付着した結露水や水滴は水受け皿２４に誘導されることになる。
なお、図３において、開口２３を挟んで対向して設けた各一対の爪部２５と嵌合受け部２６はほぼ直線状に位置しているが、各一対の爪部２５と嵌合受け部２６の配置は周方向にずれていてもよい。
【００２５】
次に、図２に示す洗浄水タンク装置６において、タンク本体１０がベースプレート１１に連結された状態で、タンク本体１０の縮径された下部の領域において、一方の側面１０ｃにおける第一傾斜面１９の下側のスペースＫ１と他方の側面１０ｄにおける第二傾斜面２０の下側のスペースＫ２とが形成される。
そして、図７に示すように、洗浄水タンク装置６には、ベースプレート１１上でスペースＫ１には例えば局部を温水洗浄するための温水洗浄用電気部品３１が設置される。また、スペースＫ２には例えば脱臭用の電気部品と脱臭フィルター等を備えた脱臭器３２が設置される。しかも、これらに関連するまたは別個の電気部品３３がタンク本体１０の前面１０ａ側にも設置されている。
【００２６】
なお、タンク本体１０の排水口１５の外周面には雄ねじ部３５が形成されており、雌ねじを内面に形成した鍔付きキャップ３６を嵌め込みできるようにしてもよい（図２参照）。
また、タンク本体１０の一方の側面１０ｃには湾曲面からなる段差１０ｃａが上下方向に形成され、その上部には水道水をタンク本体１０内の給水部９に供給する給水管３７が接続されている。また、図３に示すベースプレート１１の水受け皿２４には、タンク本体１０を位置決めすると共にタンク本体１０が倒れることを防止するために、図４に示す底面１８に設けたリブ３９を受ける線状のリブからなるタンク受け３８が形成されている。
【００２７】
本実施形態による温水洗浄便器１の洗浄水タンク装置６は上述の構成を備えており、次にタンク本体１０の取り付け方法について説明する。
本実施形態による温水洗浄便器１の組み立てに際し、便器本体２の上面の後端側にベースプレート１１が固定された状態で、ベースプレート１１の水受け皿２４にタンク本体１０の底面１８を押圧して固定する。その際、ベースプレート１１の開口２３にタンク本体１０の排水口１５を対向させ、タンク本体１０の底面１８を水受け皿２４に対面させて近づける。すると、最初にタンク本体１０の排水口１５が水受け皿２４の開口２３に挿入される。
【００２８】
次に、タンク本体１０に設けた一対の嵌合部２９が爪片２８より下方に突出しているため、水受け皿２４の嵌合受け部２６に当接して、嵌合部２９の中央突片２９ａが嵌合して一対の爪部２５に爪片２８が当接することをガイドする。
そして、更にタンク本体１０を押し込むと、嵌合受け部２６に嵌合部２９が完全に嵌合する。これに遅れて、爪部２５に対して爪片２８が当接して弾性変形し、乗り越えて互いに係合する。
こうして、タンク本体１０はベースプレート１１の水受け皿２４に当接して固定される。
【００２９】
タンク本体１０の底面１８に設けた爪片２８と嵌合部２９が水受け皿２４の爪部２５と嵌合受け部２６に係合した状態で、タンク本体１０の外面には内部に貯留した洗浄水の水面ラインより下側に結露することがある。タンク本体１０の前面１０ａや背面１０ｂに付着する結露水は下方への傾斜が小さいので前面１０ａと背面１０ｂを伝わってベースプレート１１上の水受け皿２４上に流れ落ちる。また、タンク本体１０の両側面１０ｃ、１０ｄに付着する結露水は、それぞれ第一傾斜面１９と第二傾斜面２０の各凸曲面を伝わって水受け皿２４上に流れ落ちる。
そのため、側面１０ｃ、１０ｄに付着する結露水が第一傾斜面１９と第二傾斜面２０で分離して温水洗浄用電気部品３１や脱臭器３２に落下することを防止できる。水受け皿２４に流れ落ちた水は爪部２５に形成した穴部３０から便器本体２内に排出できる。
【００３０】
上述したように本実施形態による温水洗浄便器１の洗浄水タンク装置６によれば、タンク本体１０の底面１８をベースプレート１１の水受け皿２４に押圧させることで、排水口１５を挟んで対向して配置された嵌合受け部２６と嵌合部２９、そして爪部２５と爪片２８が互いに嵌合できる。しかも、タンク本体１０とベースプレート１１は嵌合受け部２６と嵌合部２９の係合で相対回転が阻止され、爪部２５と爪片２８の係合で上下方向のずれが阻止される。
しかも、タンク本体１０とベースプレート１１の固定にボルト・ナット等を必要としないため、部品点数と組み立て工数を削減できる。
また、タンク本体１０とベースプレート１１の固定に際し、最初に排水口１５を開口２３内に挿入し、次に嵌合受け部２６と嵌合部２９を嵌合することで、爪部２５と爪片２８の係合をガイドできる。
また、ベースプレート１１に爪部２５を形成する際、金型加工のために形成した爪部２５の穴部３０を通して水受け皿２４に落ちた水を便器本体２内に排出できる。
【００３１】
なお、本発明による温水洗浄便器１の洗浄水タンク装置６は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明を省略する。
【００３２】
例えば、開口２３を挟んで対向して設けた各一対の爪部２５と嵌合受け部２６はほぼ直線状に位置しているが、各一対の爪部２５と嵌合受け部２６の配設位置は（タンク本体１０の底面１８における爪片２８、嵌合部２９の配置ずれの可能な範囲で）互いに交差する位置に配設してもよい。
また、ベースプレート１１に配設した爪部２５は爪部本体２５ａとその両端の仕切壁２５ｂを有するため、これに係合した爪片２８はタンク本体１０の回転方向のずれを阻止可能である。そのため、嵌合受け部２６と嵌合部２９の設置は省略してもよい。また、これとは逆に、タンク本体１０やタンクカバー７の少なくとも一方が陶器製であると重量が大きいため、爪部２５と爪片２８の設置を省略してもよい。
【００３３】
上述した実施形態において、タンク本体１０の嵌合部２９を爪片２８より下方に突出するように構成したが、これに代えてベースプレート１１の嵌合受け部２６を爪部２５より上方に突出するように構成してもよい。また、実施形態の構成に代えて、タンク本体１０の爪片２８と嵌合部２９をベースプレート１１に設け、ベースプレート１１の爪部２５と嵌合受け部２６をタンク本体１０に設けてもよい。
また、爪片２８と爪部２５として、断面略Ｌ字状の形状に代えて、略球状の突部とその嵌合穴等を採用してもよい。また、嵌合部２９と嵌合受け部２６として、略Ｔ字状とＵ字のものに代えてＩ字状の凸部とこの凸部を挟む２本線の受け部等を採用してもよい。これらは互いに押圧することで係合可能であれば、爪片２８と爪部２５、そして嵌合部２９と嵌合受け部２６の形状は任意に採用できる。
【００３４】
なお、上述した実施形態では、タンク本体１０の底面１８に設けた爪片２８及び嵌合部２９を、ベースプレート１１に設けた爪部２５及び嵌合受け部２６に上下方向に押圧して互いに固定するようにしたが、本発明はこのような構成に限定されない。例えば、タンク本体１０とベースプレート１１の一方に水平方向に開口する凹部を形成し、他方に前記凹部に嵌合可能な凸部を形成し、タンク本体１０を水平方向に相対回転させることで凹部と凸部を嵌合させて互いに固定するようにしてもよい。
そのため、本発明における「押圧する」とはタンク本体１０とベースプレート１１との間における上下方向の係合動作と水平方向の係合動作による押圧を含んでいる。
【００３５】
なお、上述した実施形態では、爪部２５と嵌合受け部２６、爪片２８と嵌合部２９をそれぞれ別個に設けたが、一体に形成してもよい。
また、本発明において、爪片２８と嵌合部２９と凸部は係止部を構成し、爪部２５と嵌合受け部２６と凹部は係止受け部を構成する。
また、本発明による洗浄水タンク装置は、ロータンク５に限定されることなく、温水洗浄便器１に採用する適宜のタンクに適用できる。なお、本発明は温水洗浄便器１について説明したが、本発明は温水洗浄用器具を省略した水洗便器にも設置可能である。
【符号の説明】
【００３６】
１  温水洗浄便器
２  便器本体
５  ロータンク
６  洗浄水タンク装置
１０  タンク本体
１１  ベースプレート
１５  排水口
１８  底面
２３  開口
２４  水受け皿
２５  爪部
２６  嵌合受け部
２８  爪片
２９  嵌合部
３０  穴部
【図１】
2016191241.tif 000003
【図２】
2016191241.tif 000004
【図４】
2016191241.tif 000005
【図５】
2016191241.tif 000006
【図６】
2016191241.tif 000007
【図７】
2016191241.tif 000008
【図３】
2016191241.tif 000009